(57)【要約】【課題】家屋用防犯システムに掛かる費用負担の増加を抑制しつつ防犯機能を強化可能にすることを目的とする。【解決手段】家屋２と車両９とが無線システムを介して情報の授受可能に構成された防犯システムであって、上記家屋２は、家屋周辺の不審者の存在を検知し、不審者の存在を検知した時、当該不審者の情報を上記車両に送信する家屋用不審者検知手段１１を備えるとともに、上記車両は、上記家屋用不審者検知手段１１からの不審者の情報を受信した時、車両９に搭載された所定の装置に予め設定された防犯動作を実行させる防犯動作制御手段を備えるよう構成してある。従って、家屋２に備えられた家屋用不審者検出手段１１によって不審者の存在が検知された時、車両９に搭載された所定の装置が予め設定された防犯動作が実行されるため、車両９の所定の装置を利用して家屋２の防犯機能を強化することができる。【選択図】  図１
2004318643.tif 000002
【特許請求の範囲】
【請求項１】
家屋と車両とが無線システムを介して情報の授受可能に構成された防犯システムであって、
上記家屋は、家屋周辺の不審者の存在を検知し、不審者の存在を検知した時、当該不審者の情報を上記車両に送信する家屋用不審者検知手段を備えるとともに、
上記車両は、上記家屋用不審者検知手段からの不審者の情報を受信した時、車両に搭載された所定の装置に予め設定された防犯動作を実行させる防犯動作制御手段を備えることを特徴とする防犯システム。
【請求項２】
上記所定の装置は、エンジンであって
上記防犯動作制御手段は、上記家屋用不審者検知手段からの不審者の情報を受信したた時、上記エンジンを始動させることを特徴とする請求項１記載の防犯システム。
【請求項３】
上記所定の装置は、ライトであって、
上記防犯動作制御手段は、上記家屋用不審者検知手段からの不審者の情報を受信したた時、上記ライトを点灯させることを特徴とする請求項１に記載の防犯システム。
【請求項４】
上記家屋用不審者検知手段は、不審者の侵入レベルを検知するよう構成されており、
上記防犯動作制御手段は、上記家屋用不審者検知手段により検知された不審者の侵入レベルに応じて上記所定の装置の作動態様を変更することを特徴とする請求項１乃至３のいずれか一つに記載の防犯システム。
【請求項５】
上記車両は、車両周辺の不審者の存在を検知する車両用不審者検知手段と、該車両用不審者検知手段により不審者の存在が検知された時、警報音を発生させる警報手段とを備えるとともに、
上記家屋用不審者検知手段は、不審者の侵入レベルを検知するよう構成され、
上記防犯動作制御手段は、上記家屋用不審者検知手段により検知された不審者の侵入レベルが高くなるにつれて、上記所定の装置による防犯動作、警報手段による警報動作を順次実行させることを特徴とする請求項４に記載の防犯システム。
【請求項６】
上記防犯システムは、上記家屋用不審者検知手段により不審者の存在が検知された時、不審者の情報を予め設定された通報先に通報する通報手段を備えることを特徴とする請求項１乃至５のいずれか一つに記載の防犯システム。
【請求項７】
上記車両は、予め設定された検知領域内における不審者の存在を検知する車両用不審者検知手段と、
車両の現在位置を検知する現在位置検知手段と、
該現在位置検知手段により車両が自宅駐車場に駐車していることが検知された時、上記車両用不審者検知手段による検知領域を拡大する検知領域拡大手段とを備えることを特徴とする請求項１乃至６のいずれか一つに記載の防犯システム。
【請求項８】
上記車両は、車両周辺を撮影可能な視認カメラと、
上記家屋用不審者検知手段からの不審者の情報を受信した時、上記視認カメラによる撮影を開始させる視認カメラ制御手段とを備えることを特徴とする請求項１乃至７のいずれか一つに記載の防犯システム。
【請求項９】
上記車両は、上記視認カメラにより撮影された映像を所定の通報先に転送する映像転送手段を備えることを特徴とする請求項８記載の防犯システム。
【請求項１０】
上記車両は、車両周辺の撮影が可能とされる視認カメラと、
車両の現在位置を検知する現在位置検知手段とを備え、
上記視認カメラ制御手段は、上記現在位置検出手段により車両が自宅駐車場に駐車していることが検知された時、上記視認カメラの撮影方向を家屋方向に設定することを特徴とする請求項８または９に記載の防犯システム。
【発明の詳細な説明】
【０００１】
【発明の属する技術分野】
本発明は、防犯システムに関するものである。
【０００２】
【従来の技術】
従来、家屋の防犯システムにおいては、不審者による家屋の扉や窓への不正な開閉が検知された時、ブザー等の警報を行い家人に報知することは知られており、例えば、下記特許文献１に開示されている。
【０００３】
【発明が解決しようとする課題】
そして、近年の犯罪の凶悪化、巧妙化に対応するためには、更なる防犯対策の強化が望まれており、各種防犯アイテムを増加させることが望まれている。
しかしながら、単に、防犯アイテムを増加させるのでは、防犯システムの増加に伴い防犯システムに掛かる費用も高くなり、ユーザーの費用負担が増加するという問題がある。
【０００４】
ところで、近年では、車両においても盗難防止のため、防犯システムが搭載されている。
例えば、下記特許文献２には、人体検知センサや、車両への衝撃を検知する衝撃センサ等から構成される防犯センサと、警報装置とからなる防犯システムが車両に搭載され、防犯センサにより不審者の存在が検知された時、警報装置により警報音を発生させることによって、不審者を威嚇して、車両の盗難を防止することが知られている。
また、防犯システムを備えていない車両であっても、車両には、車両外部に対して聴覚的、視角的な影響を与えることが可能なエンジン（エンジン音）やライト等所定の装置が備えられている。
そして、本出願人によれば、車両が自宅の駐車場に駐車されている場合、上述の車両の防犯システムや所定の装置を作動させれば家屋に対する不審者に対しても威嚇効果があり、防犯機能を強化できる知見を見出したものである。
【０００５】
【特許文献１】
特開２００２−１５０４３８号公報
【特許文献２】
特開２０００−６７６１号公報
【０００６】
本発明は、以上のような課題に勘案してなされたもので、その目的は、車両に備えられた防犯機能を有する装置を家屋用の防犯システムとして利用でき、家屋用防犯システムに掛かる費用負担の増加を抑制しつつ防犯機能を強化可能な防犯システムを提供することにある。
【０００７】
【課題を解決するための手段】
前記目的を達成するため、本発明にあってはその解決手法として次のようにしてある。すなわち、本発明の第１の構成において、家屋と車両とが無線システムを介して情報の授受可能に構成された防犯システムであって、
上記家屋は、家屋周辺の不審者の存在を検知し、不審者の存在を検知した時、当該不審者の情報を上記車両に送信する家屋用不審者検知手段を備えるとともに、
上記車両は、上記家屋用不審者検知手段からの不審者の情報を受信した時、車両に搭載された所定の装置に予め設定された防犯動作を実行させる防犯動作制御手段を備えるよう構成してある。
本発明の第１の構成によれば、家屋に備えられた家屋用不審者検出手段によって不審者の存在が検知された時、車両に搭載された所定の装置が予め設定された防犯動作が実行されるため、車両の所定の装置を利用して家屋の防犯機能を強化することができる。
【０００８】
本発明の第２の構成において、上記所定の装置は、エンジンであって
上記防犯動作制御手段は、上記家屋用不審者検知手段からの不審者の情報を受信したた時、上記エンジンを始動させるよう構成してある。
本発明の第２の構成によれば、家屋用不審者検出手段により不審者の存在が検知された時、車両に搭載されたエンジンが始動されるため、そのエンジンの始動に伴って発生するエンジン音によって不審者を威嚇することができる。
【０００９】
本発明の第３の構成において、上記所定の装置は、ライトであって、
上記防犯動作制御手段は、上記家屋用不審者検知手段からの不審者の情報を受信したた時、上記ライトを点灯させるよう構成してある。
本発明の第３の構成によれば、家屋用不審者検知手段により不審者の存在が検知された時、車両に搭載されたライトが点灯されるため、点灯されたランプの光によって不審者を威嚇することができる。
【００１０】
本発明の第４の構成において、上記家屋用不審者検知手段は、不審者の侵入レベルを検知するよう構成されており、
上記防犯動作制御手段は、上記家屋用不審者検知手段により検知された不審者の侵入レベルに応じて上記所定の装置の作動態様を変更するよう構成してある。
本発明の第４の構成によれば、不審者の侵入レベルに応じて所定の装置の作動態様が変更されるため、不審者の侵入レベルに応じた防犯動作を行うことができる。
【００１１】
本発明の第５の構成において、上記車両は、車両周辺の不審者の存在を検知する車両用不審者検知手段と、該車両用不審者検知手段により不審者の存在が検知された時、警報音を発生させる警報手段とを備えるとともに、
上記家屋用不審者検知手段は、不審者の侵入レベルを検知するよう構成され、
上記防犯動作制御手段は、上記家屋用不審者検知手段により検知された不審者の侵入レベルが高くなるにつれて、上記所定の装置による防犯動作、警報手段による警報動作を順次実行させるよう構成してある。
車両の装置を家屋用防犯システム利用する場合、車両用防犯装置としての警報手段により警報音を発生させることが、不審者に対しては威嚇効果が高い。
しかしながら、宅配便の配達員等、不審者ではない人が家屋の玄関付近に侵入することは頻繁にあるため、その程度の侵入に対して常に警報手段が作動されると、不審者ではないにも拘わらず大きな警報音が発生し、好ましくない。
本発明の第５の構成によれば、侵入レベルが高くなるに連れて、上記所定の装置による防犯動作、警報手段による警報動作が順次行われるため、侵入レベルに応じた防犯動作が行える。
【００１２】
本発明の第６の構成において、上記防犯システムは、上記家屋用不審者検知手段により不審者の存在が検知された時、不審者の情報を予め設定された通報先に通報する通報手段を備えるよう構成してある。
本発明の第６の構成によれば、不審者の存在が検知された時、家人や警備会社等に報知されるため、不審者に対する対応を迅速に行える。
【００１３】
本発明の第７の構成において、上記車両は、予め設定された検知領域内における不審者の存在を検知する車両用不審者検知手段と、
車両の現在位置を検知する現在位置検知手段と、
該現在位置検知手段により車両が自宅駐車場に駐車していることが検知された時、上記車両用不審者検知手段による検知領域を拡大する検知領域拡大手段とを備えるよう構成してある。
車両に備えられた車両用不審者検知手段は、通常、誤検知を防止するため、その検知範囲は、車両を中心とする比較的に狭い範囲内に限定されている。
しかしながら、車両が自宅駐車場に駐車されている場合は、車両から自宅の家屋を含む範囲まで検知範囲を広げても誤検知の可能性は低く、むしろ検知を広くすることによって不審者の検知精度を高めることができる。
本発明の第７の構成によれば、車両が自宅駐車場に駐車していることが検知された時、上記車両用不審者検知手段による検知領域を拡大されるため、車両に備えられている車両用不審者検知手段によっても不審者の存在を検知することができ、不審者の検知精度を向上することができる。
【００１４】
本発明の第８の構成において、上記車両は、車両周辺を撮影可能な視認カメラと、
上記家屋用不審者検知手段からの不審者の情報を受信した時、上記視認カメラによる撮影を開始させる視認カメラ制御手段とが備えられるよう構成してある。
本発明の第８の構成によれば、不審者の存在が検知された時、車両に備えられた視認カメラによる撮影が開始されるため、車両に備えられた視認カメラによっても不審者を撮影することができる。
【００１５】
本発明の第９の構成において、上記車両は、上記視認カメラにより撮影された映像を所定の通報先に転送する映像転送手段が備えられるよう構成してある。
本発明の第９の構成によれば、撮影された映像が所定の通報先に通知されるため、通報先において不審者の確認を行うことができる。
【００１６】
本発明の第１０の構成において、上記車両は、車両周辺の撮影が可能とされる視認カメラと、
車両の現在位置を検知する現在位置検知手段とを備え、
上記視認カメラ制御手段は、上記現在位置検出手段により車両が自宅駐車場に駐車していることが検知された時、上記視認カメラの撮影方向を家屋方向に設定するよう構成してある。
車両に備えられた視認カメラは種々の目的に応じて使用されるため、その撮影方向を任意に変更可能とされることがある。
本発明の第１０の構成によれば、上記視認カメラの撮影方向が家屋方向に設定されるため、家屋に対する不審者の挙動を確実に撮影することができる。
【００１７】
【発明の効果】
本発明によれば、車両に備えられた防犯機能を有する装置を家屋用の防犯システムとして利用でき、家屋防犯に掛かる費用負担の増加を抑制しつつ防犯機能を強化することができる。
【００１８】
【発明の実施の形態】
以下、本発明の実施の形態を図面に基づいて説明する。
図１は、本発明の実施の形態に関する情報提供システムの全体構成図を示す概念図である。
図１において、１は家屋２に設置されたホームサーバー、３は警備会社、４は警察、５は家屋２の家人が所有する携帯電話等からなる形態端末であって、例えばインターネットを利用したネットワーク６によって送受信可能に接続されている。
ホームサーバー１は、ホームＬＡＮ７を介して家電製品８、自家用車両９の集中制御ユニット２１、パーソナルコンピュータ１０、及び防犯カメラ１１と接続されている。尚、集中制御ユニット２１については、後で詳述する。
尚、ホームサーバー１は、詳細な説明は省略するが、演算処理装置としてのサーバーと、各種情報を記憶する後述のデータベースと、外部の装置と通信回路を介して通信するための通信装置とを備えている。
また、各端末（携帯端末５、パーソナルコンピュータ１０）は、詳細な図示は省略するが、それぞれ、液晶表示器等からなる表示部、キーボード等のキースイッチや、マウス等のポインティング・ディバイス等からなる入力部、各種プログラムや、各種処理結果を一時的に記憶するハードディスクやＲＡＭ等からなる記憶部、外部の装置と通信回路を介して通信するための通信部、及びＣＰＵ（中央演算処理装置）を備えている。これらの各構成は、内部バスを介して接続されており、ＣＰＵ（中央演算処理装置）は、記憶部に記憶されたプログラムに従って通信装置全体を制御する。
また、ホームサーバー１、各端末（携帯端末５、パーソナルコンピュータ１０、集中制御ユニット２１）は、それぞれ、インターネット通信を行うことが可能な一般的な通信プロトコルのソフトウェア（ソフトウェアプログラム）、そのソフトウエアプログラムに従ってインターネットを介してデータを送受信するインターネットブラウザ機能、及びブラウザを描画する一般的なソフトウェアを備えている。
【００１９】
次に、ホームサーバー１に対する、警備会社３、警察４、携帯端末５、自家用車両９の集中制御ユニット２１、及び防犯カメラ１１との各種情報の授受について、図２に基づき説明する。
図２は、ホームサーバー１を中心とする警備会社３、警察４、携帯端末５、自家用車両９の集中制御ユニット２１、及び防犯カメラ１１との間における信号の授受を示す概念図である。
まず、ホームサーバー１は、防犯カメラ１１により撮影された人物の映像を受信する。また、防犯カメラ１１は、例えば、家屋に対する接近度合によって不審者の侵入レベルを検知するように構成されている。
ホームサーバー１は、撮影された人物の映像と設定データ１０１に登録された家人等の非不審者と照合し、いずれの非不審者にも合致しない時、撮影された人物が不審者である可能性が高いと判断して、図３に示すような通報画面を家人の携帯端末５に送信する。尚、携帯端末５以外、家電製品（テレビ）８、パーソナルコンピュータ１０等に転送するようにしてもよい。
通報画面を受信した家人は、撮影画像を確認して不審者か否か判断し、その判断結果に応じた対応指示をホームサーバー１に送信する。
例えば、図３に示すように、家人によって不審者であることが確認された場合は、警備会社３及び警察４への連絡、自家用車両９への防犯動作実行を指示するアイコンを選択する。
そして、ホームサーバー１は、家人からの指示を受信すると警備会社３及び警察４への不審者侵入情報の送信、自家用車両９への防犯動作実行指示の送信、及びホームサーバー１への不審者記憶データ１０２への登録を実行する。
更に、ホームサーバー１は、後述する自家用車両９に備えられた防犯センサ３２により検知された不審者情報を受信するよう構成されている。
【００２０】
次に、ユーザー車両６の構成について、図４に基づき説明する。
図４は、実施の形態に関するユーザー車両６の全体構成図である。
図４中、２１は集中制御ユニットであり、走行状態に係わる各種データ（現残燃料、平均燃費、平均車速等）の算出や、以下の各構成を統括的に制御する。
また、集中制御ユニット２１は、無線アンテナ４０、無線送受信機４１とによってインターネット３を介して情報センター１との間における双方向の信号の授受が可能とされており、雨滴センサー９により検出された降雨情報等各種データを情報センタ−１のサーバーに送信可能とされるとともに、情報センター１からの交通情報等の各種情報を受信可能とされている。尚、雨滴センサー９の代りにワイパーの作動を検出するワイパー作動検出センサーを用いるようにしてもよい。
２２は車載ＬＡＮユニットであり、例えばアンチロックブレーキシステム（ＡＢＳ）、４輪駆動、エンジン（燃料噴射弁、点火プラグ等）等の制御に必要な不図示のセンサ及び駆動部と集中制御ユニット２１との所謂ローカルエリアネットワーク通信を制御する。
２３はＲＡＭカードドライブであり、例えばシート位置、ミラー位置等の運転者に関する情報を記憶したＲＡＭカードのデータ読み込み／書き込み装置である。
２４はデータドライブであり、移動可能なデータ記憶媒体に記憶した各種情報の読み込み／書き込み装置である。
２５は音声ガイド用スピーカであり、ナビゲーションコントローラ１７からの音声情報が集中制御ユニット２１内の音声出力インタフェース（不図示）を介して出力される。
２６はマイクであり、乗員の音声による指示が集中制御ユニット２１内の音声認識インタフェース（不図示）を介してナビゲーションコントローラ１７に入力される。
２７は液晶表示等のディスプレイであり、ナビゲーション画面、各種入力操作用の画面、移動体の状態（車速、空調設定等）が表示され、更に、ディスプレイ２７の前面には、その表示に応じてタッチ操作による入力操作が可能な、静電容量方式や赤外線方式等の入力装置を備える。
２８は操作スイッチであり、集中制御ユニット２１及びナビゲーションコントローラ１７への入力操作が可能とされる。
【００２１】
１７はナビゲーションコントローラであり、ＧＰＳアンテナ２９からの位置情報とＤＶＤ−ＲＯＭチェンジャ３０に搭載されたＤＶＤ−ＲＯＭの地図情報に基づいて、設定された目的地までの適当な経路を検索し、ディスプレイ２７上の表示若しくは音声ガイド用スピーカからの音声出力により誘導を行なう。ＤＶＤ−ＲＯＭチェンジャ３０により読み出されるＤＶＤ−ＲＯＭの地図情報は、以下の説明におけるディスプレイ２７への表示情報の基本情報である。
更に、ナビゲーションコントローラ１７に、ＶＩＣＳ対応のＦＭ多重放送を受信するＦＭチューナーと、電波ビーコン信号及びビーコン信号を受信するビーコン信号受信機と接続し、それらにより得られる情報を交通規制情報（所謂、ＶＩＣＳ情報）と解釈してディスプレイ２７に表示し、経路誘導の際経路検索の条件（制約条件）として使用することが望ましい。更に、走行経路周辺の地域情報をデータドライブ２４等から入力し、表示情報に利用してもよい。尚、ＧＰＳによる自車位置の検出方法は公知であるため説明を省略する。
【００２２】
また、車両６には、防犯コントローラ３１が備えられている。
防犯コントローラ３１は、レーザーや赤外線等から構成される防犯センサ３２により不審者が検出された時、ヘッドライト３３、３３を点灯する、警報用スピーカー３４により警報音を鳴らす、３６０°撮影可能な視認カメラ３５により撮影を開始する、エンジン３６を始動させる、内のいずれか一つまたは複数を組合わせて防犯動作を行わせるよう構成されている。
【００２３】
次に、図５のフローチャートに基づいて携帯端末５、またはパーソナルコンピュータ１０による家人による車両用防犯システムの設定及びホームーサーバー１、自家用車両９の集中制御ユニット２１による具体的処理ついて説明する。
図５のステップＳ１では、携帯端末５、またはパーソナルコンピュータ１０において車両利用防犯システム設定要件を設定し、ホームサーバー１に送信する。
具体的には、非不審者の登録、防犯動作設定、通報者設定を行う。
非不審者の登録は、視認カメラ３３により撮影された人物の映像が、不審者であるか否かを判断するため、不審者ではない家人等を予め登録しておく。
防犯動作設定は、自家用車両９に搭載された防犯機能を有する所定の装置を、不審者の侵入レベルに応じてどのような順序で作動するかを設定する。
例えば、不審者の侵入レベルが低い０の時は、視認カメラ３３による不審者の静止画像の撮影を行うよう設定する。
また、不審者の侵入レベルが１になると、エンジン１が強制的に始動されるよう設定する。
また、不審者の侵入レベルが２になると、ヘッドライト３３、３３が強制的に点灯されるよう設定する。
また、不審者の侵入レベルが３になると、視認カメラ３３によるビデオ撮影が開始されるよう設定する。
そして、玄関や窓等が強制的に開閉され、不審者が家屋２に侵入するような最も侵入レベルが高い４になると、警報用スピーカー３４による警報の作動が開始されるとともに、警備会社３や警察４に通報されるよう設定する。
【００２４】
次に、ホームサーバー１と、携帯端末５またはパーソナルコンピュータ１０とでの処理について、ステップＳ２乃至Ｓ１１に基づいて説明する。
ステップＳ２では、ステップＳ１で設定された車両利用防犯システム設定要件を登録する。
続く、ステップＳ３では、自家用車両９に車両利用防犯システム設定要件を転送する。
ステップＳ４では、防犯センサ１１ａにより撮影された人物を予め登録された非不審者と照合して、撮影された人物が不審者であるか否か判定する。
ステップＳ４でＹＥＳと判定された場合、ステップＳ５に進み、防犯カメラ１１による不審者の撮影を開始するとともに、図３に示す通報画面を携帯端末５またはパーソナルコンピュータ１０に不審者情報を送信する。
ステップＳ６では、受信した通報画面の画像データに基づいて不審者か否か家人によって判断し、対応指示をホームサーバー１に送信する。
ステップＳ７では、対応指示を判断し、警備会社３、警察４への通報、及び自家用車両９への防犯動作が指示されていると判断された時は、ステップＳ８で警備会社３、警察４への通報を行うとともに、ステップＳ９で自家用車両９への防犯動作指示を行う。
また、ステップＳ９で対応不要の指示が判断されている時は、ステップＳ１０で防犯カメラ１１による撮影を中止するとともに、ステップＳ１１で警備会社３、警察４への通報を禁止する。
【００２５】
次に、自家用車両９の集中制御ユニット２１による処理をステップＳ１２乃至Ｓ１６に基づいて説明する。
ステップＳ１２では、ステップＳ１で設定された車両利用防犯システム設定要件を登録する。
続く、ステップＳ１３では、ＧＰＳアンテナ２９により検知された自家用車両９の現在位置が自宅駐車場であるか否か判定する。
ステップＳ１３でＹＥＳと判定さたれ時は、ステップＳ１４に進み、防犯センサ３２による検知領域を通常検知領域Ａから拡大検知領域Ｂに拡大する。ここで、通常検知領域Ａは、図６に示すように、自家用車両９周辺に存在する不審者のみを検知可能に設定されるのに対し、拡大検知領域Ｂは、自家用車両９が駐車される駐車場から家屋２全体内に存在する不審者を検知可能に設定される。
ステップＳ１５では、防犯センサ３２により不審者の存在が検知されたか否か判定する。
ステップＳ１５の判定でＹＥＳと判定された時、つまり、不審者の存在が検知された時、ステップＳ１６に進み、ステップＳ１で設定された不審者の侵入レベルに応じた防犯動作設定を行うとともに、警備会社３、警察４及び家人の携帯端末５に通報する。
【００２６】
以上のように、本実施形態によれば、家屋２に備えられた防犯センサ１１ａによって不審者の存在が検知された時、自家用車両９に搭載されたエンジン３６が始動される、ヘッドライト３３、３３が点灯されるため、警報用スピーカー３４により警報される等、車両の所定の装置を利用して家屋２の防犯機能を強化することができる。
また、侵入レベルが高くなるに連れて、視認カメラ３５による静止画像の撮影、エンジン３６の始動、ヘッドライト３３、３３の点灯、視認カメラ３５によるビデオ撮影、警報用スピーカー３４による警報動作が順次行われるため、侵入レベルに応じた防犯動作が行える。
また、不審者の存在が検知された時、警備会社３、警察４、家人の携帯端末５に通報されるため、不審者に対する対応を迅速に行える。
また、自家用車両９が自宅駐車場に駐車していることが検知された時、自家用車両に備えられた防犯センサ３２による検知領域が通常検知領域Ａから拡大検知領域Ｂに拡大されるため、不審者の検知領域を拡大することができ、不審者の検知精度を向上することができる。
また、撮影された映像が警備会社３、警察４、家人の携帯端末５に通報されるため、通報先において不審者の確認を行うことができる。
【００２７】
また、図７に示すように、自家用車両９が自宅駐車場に存在することが検知された時、自家用車両９に備えられた視認カメラ３５による撮影方向を家屋２の方向に設定すれば、視認カメラ３５を利用して家屋２に対する不審者の挙動を撮影することができる。
【００２８】
また、本実施形態では、不審者の侵入が検知された時エンジン３６を始動する例を示したが、エンジン３６始動後、スロットル弁（不図示）を強制的に開放させてエンジン回転数を上昇させる所謂レーシングを行い、不審者に対する威嚇を強化するようにしてもよい。
【００２９】
また、本実施形態では、不審者の侵入が検知された時ヘッドライト３３、３３を点灯する例を示したが、ヘッドライト３３、３３をロービームからハイビームに切換えたり、ロービームとハイビームとの間で周期的に軸光を変更させるようにしてもよい。
【００３０】
また、本実施形態では、不審者の侵入が検知された時ヘッドライト３３、３３を点灯する例を示したが、ヘッドライト３３、３３以外のルームランプを点灯するようにしてもよい。
【００３１】
また、本実施形態では、不審者の侵入が検知された時エンジン３６を始動させたり、ヘッドライト３３、３３を点灯させる例を示したが、その他、クラクションを鳴らすようにしてもよい。
【図面の簡単な説明】
【図１】本発明に関わる情報提供システムの全体構成図を示す概念図。
【図２】本発明に関わるホームサーバー１を中心とする警備会社３、警察４、携帯端末５、自家用車両９の集中制御ユニット２１、及び防犯システム１１との間における信号の授受を示す概念図。
【図３】本発明に関わる通報画像例を示す図。
【図４】本発明に関わるユーザー車両６の全体構成図。
【図５】本発明に関わるフローチャート。
【図６】本発明に関わる防犯センサによる検知領域を示す図。
【図７】本発明に関わる視認カメラによる撮影領域を示す図。
【符号の説明】
１：ホームサーバー
２：家屋
５：携帯端末
６：ネットワーク
９：自家用車両（車両）
１０：パーソナルコンピュータ
１１：防犯カメラ（家屋用不審者検知手段）
２１：集中制御ユニット
２９：ＧＰＳアンテナ
３１：防犯コントローラ
３２：防犯センサ（車両用不審者検知手段）
３３：ヘッドライト（所定の装置）
３４：警報用スピーカー（警報手段）
３５：視認カメラ
３６：エンジン（所定の装置）
【図１】
2004318643.tif 000003
【図２】
2004318643.tif 000004
【図３】
2004318643.tif 000005
【図４】
2004318643.tif 000006
【図５】
2004318643.tif 000007
【図６】
2004318643.tif 000008
【図７】
2004318643.tif 000009